(57)【特許請求の範囲】
【請求項１】
複数の導電回路パターンが形成されるとともに、複数の電子部品が搭載される多層構造のプリント配線基板であって、
前記プリント配線基板は、
前記複数の電子部品が搭載される製品基板部と連結部とを介して連結される捨て板部と、
前記複数の導電回路パターンを相互に電気的接続する導体部材とを有するとともに、前記捨て板部の表面部と裏面部とには、リフロー工程時に、前記表面部と前記裏面部のいずれか一方に塗布されたソルダーレジストが伸長され、他方に塗布されたソルダーレジストが収縮されるよう、線膨張係数が異なるソルダーレジストが塗布されることを特徴とする多層構造のプリント配線基板。
【請求項２】
複数の導電回路パターンが形成されるとともに、複数の電子部品が搭載される多層構造のプリント配線基板であって、
前記プリント配線基板は、
前記複数の電子部品が搭載される製品基板部と連結部とを介して連結される捨て板部と、
前記複数の導電回路パターンを相互に電気的接続する導体部材とを有するとともに、前記導電回路パターンが少ない部分には、当該少ない部分を補強する補強部材が埋設され、前記捨て板部の表面部と裏面部とには、リフロー工程時に、前記表面部と前記裏面部のいずれか一方に塗布されたソルダーレジストが伸長され、他方に塗布されたソルダーレジストが収縮されるよう、線膨張係数が異なるソルダーレジストが塗布されることを特徴とする多層構造のプリント配線基板。
【発明の詳細な説明】
【技術分野】
【０００１】
本発明は、多層構造のプリント配線基板に関し、特に、プリント配線基板の製品基板部と連結部とを介して連結する捨て板部の両面に、異なる材料特性を有するソルダーレジストを塗布することにより、基板に対する反りを抑制することができる多層構造のプリント配線基板に関する。
【背景技術】
【０００２】
従来から、半導体部品などの電子部品をプリント配線基板に実装させるために、複数の製品基板部を連結部を介して捨て板部と連結させる、所謂、多層構造（ＢＶＨ：ビルドアップ基板）のプリント配線基板が採用されている。このように構成される多層構造のプリント配線基板の場合、製品基板上に複数の半導体部品（電子部品）を集約的に搭載することができるため、電子部品の実装効率を向上することができる。
【０００３】
ここで、図８および図９を参照して、従来の一般的な多層構造のプリント配線基板１０の概略構成を簡単に説明する。図８は、多層構造のプリント配線基板１０の構成を示す平面図を、図９は、断面図をそれぞれ示している。
【０００４】
図８に示すように、このプリント配線基板１０において、１１は電子部品などを実装する製品基板部、１２は、捨て板部、１３は、ミシン目上に形成された連結部、１４は、スリットであり、製品基板部１１は、連結部１３を介して、捨て板部１２と連結された構成となっている。
【０００５】
図９に示すように、プリント配線基板１０は、絶縁基材１０ａの表裏両面に導電パターン１５が設けられ、内部には、内部導電パターン１６が設けられ、これら導電パターン１５と内部導電パターン１６とを複数のビア部材１７により連結し、これにより、電気的に結合した多層構造のプリント配線基板１０を構成している。また、プリント配線基板１０の製品基板部１１の上面側および下面側にはソルダーレジスト１８、１８がそれぞれ塗布される。
【０００６】
ソルダーレジスト１８は、隣接した導電パターン１５同士の電気回路パターンが電気的に接合することを防止する機能を備えている。同図に示すように、上述のように構成される多層構造のプリント配線基板１０は、導電パターン１５に添付されたハンダボール上に電子部品のハンダボールが接合し、電子部品をプリント配線基板１０上に搭載した状態で、リフロー工程により熱接合された後、連結部１３（図８）の切断を行ない、個々の製品基板部１１に分割されて、電子機器の筐体などに組み込まれる。
【０００７】
ここで、上述のように構成されるプリント配線基板１０の場合、リフロー工程を行なった後のプリント配線基板１０は、リフロー工程の熱により反りが発生する場合がある。このような理由からプリント配線基板の反り対策を行なった従来技術が開示されている。
【０００８】
この種の多層構造のプリント配線基板として、特許文献１には、ＬＳＩ−ＰＫＧなどの多連配線基板の反りを抑制するために、プリント配線基板が形成される境界領域に沿って縦方向および横方向に反り防止用の多数の孔部または、溝部を設ける半導体装置の製造方法が開示されている。
【０００９】
また、特許文献２には、基板を構成する分割線上にテーパ孔を設け、この孔に樹脂等の補強材料を埋設させるとともに、部品の実装後に埋設した補強材料を熱により除去するプリント配線板構造が開示されている。このプリント配線板構造の場合、基板を構成する分割線上での分割が容易になり、これにより、部品実装時の反りを抑制することができる。
【００１０】
また、特許文献３には、プリント配線基板の表裏に塗布するソルダーレジストの厚さ寸法を変えるとともに、二枚の基板をスペーサーを介して接合させる補強により反りを抑制する配線基板およびその製造方法が開示されている。
【００１１】
また、特許文献４には、ソルダーレジストの塗布面積を表面と裏面とで所定の比率に設定するとともに、同じくソルダーレジストの厚さを所定の比率に設定することにより、プリント配線基板の反りを抑制する半導体装置用基板が開示されている。
【００１２】
また、特許文献５には、基板を構成する捨て板部に補強用の金属板を埋め込むことにより、基板の補強を行ない、これにより、リフロー工程時に発生する反りを防止するプリント配線板および多層プリント配線板が開示されている。
【００１３】
また、特許文献６には、基板の反りを防止するためのダミー用の配線を基板上に形成することで、基板自体の反り抑制する半導体装置が開示されている。
【００１４】
また、特許文献７には、プリント配線基板を構成する捨て板部に銅箔を全面的に配置させ、さらに、銅箔同士をビア部材で結合させることで捨て板部の剛性を向上させることにより、基板の反りを抑制するプリント基板が開示されている。
【００１５】
【特許文献１】特開２００３−２５８１５８号公報
【特許文献２】特開平８−２７４４１８号公報
【特許文献３】特開２００２−２９００３１号公報
【特許文献４】特開平９−１７２１０４号公報
【特許文献５】特開２００３−１５２２８９号公報
【特許文献６】特開２００１−１８５５７６号公報
【特許文献７】特開２００２−３２４９５２号公報
【発明の開示】
【発明が解決しようとする課題】
【００１６】
ところが、上述した従来の公報に開示されている多層構造のプリント配線基板の場合、依然としてキュア（熱硬化）によるリフロー工程の熱によりプリント配線基板に反りや変形などの不具合が発生するという問題がある。具体的に説明すると、図１０に示すように、プリント配線基板の表裏両面に塗布されるソルダーレジストには、主に同一材料が使用されているため、リフロー工程時にソルダーレジストの反り方向もほぼ同一となり、これによって、ソルダーレジストの反りとともにプリント配線基板（製品基板部１１）も湾曲した形状となる。
【００１７】
このように、プリント配線基板が反りなどにより湾曲した形状となった場合には、製品用基板上に電子部品を接合し難くなるうえ、接合状態も確実とはならないため、プリント配線基板の製造に関する歩留まりや品質、信頼性を低下させる要因となる。
【００１８】
そこで、この発明は、上述した従来技術による問題点を解決するためになされたものであり、製造時のプリント配線基板の反りを抑制できるプリント配線基板を提供することを目的とする。
【課題を解決するための手段】
【００１９】
上述した課題を解決し、目的を達成するために、請求項１に記載の発明は、複数の導電回路パターンが形成されるとともに、複数の電子部品が搭載される多層構造のプリント配線基板であって、前記プリント配線基板は、前記複数の電子部品が搭載される製品基板部と連結部とを介して連結される捨て板部と、前記複数の導電回路パターンを相互に電気的接続する導体部材とを有するとともに、前記捨て板部の表面部と裏面部とには、リフロー工程時に、前記表面部と前記裏面部のいずれか一方に塗布されたソルダーレジストが伸長され、他方に塗布されたソルダーレジストが収縮されるよう、線膨張係数が異なるソルダーレジストが塗布されることを特徴とする。
【００２５】
また、請求項２に記載の発明は、複数の導電回路パターンが形成されるとともに、複数の電子部品が搭載される多層構造のプリント配線基板であって、前記プリント配線基板は、前記複数の電子部品が搭載される製品基板部と連結部とを介して連結される捨て板部と、前記複数の導電回路パターンを相互に電気的接続する導体部材とを有するとともに、前記導電回路パターンが少ない部分には、当該少ない部分を補強する補強部材が埋設され、前記捨て板部の表面部と裏面部とには、リフロー工程時に、前記表面部と前記裏面部のいずれか一方に塗布されたソルダーレジストが伸長され、他方に塗布されたソルダーレジストが収縮されるよう、線膨張係数が異なるソルダーレジストが塗布されることを特徴とする。
【発明の効果】
【００２７】
請求項１に記載の発明によれば、プリント配線基板は、前記複数の電子部品が搭載される製品基板部と連結部とを介して連結される捨て板部と、前記複数の導電回路パターンを相互に電気的接続する導体部材とを有するとともに、前記捨て板部の表面部と裏面部とには、リフロー工程時に、前記表面部と前記裏面部のいずれか一方に塗布されたソルダーレジストが伸長され、他方に塗布されたソルダーレジストが収縮されるよう、線膨張係数が異なるソルダーレジストが塗布されるように構成されているので、プリント配線基板の反りや変形を抑制することができ、これにより、精度の高い電子部品の実装を実現できるという効果がある。
【００２８】
また、製造するプリント配線基板のリフロー工程の熱により発生する反りなどによる変形を防止することができるため、プリント配線基板の製造に関する歩留まりや品質、信頼性を向上できるという効果を奏する。また、プリント配線基板上に電子部品を高密度に実装することができるうえ、これにより電子部品の実装後の信頼性を長期に亘って確保できるという効果を奏する。
【００３４】
また、請求項２に記載の発明によれば、複数の導電回路パターンが形成されるとともに、複数の電子部品が搭載される多層構造のプリント配線基板であって、前記プリント配線基板は、前記複数の電子部品が搭載される製品基板部と連結部とを介して連結される捨て板部と、前記複数の導電回路パターンを相互に電気的接続する導体部材とを有するとともに、前記導電回路パターンが少ない部分には、当該少ない部分を補強する補強部材が埋設され、前記捨て板部の表面部と裏面部とには、リフロー工程時に、前記表面部と前記裏面部のいずれか一方に塗布されたソルダーレジストが伸長され、他方に塗布されたソルダーレジストが収縮されるよう、線膨張係数が異なるソルダーレジストが塗布されるように構成しているので、補強部材を配置することで製品基板部周囲の剛性が増し、これにより、プリント配線基板の反りを抑制することができるという効果を奏する。 
【発明を実施するための最良の形態】
【００３６】
以下に、添付図面を参照して、本発明に係る多層構造のプリント配線基板の好適な実施例１を詳細に説明する。なお、以下に示す実施例１では、多層構造のプリント配線基板の概要および特徴を説明した後に、この多層構造のプリント配線基板を構成する各部について説明する。
【実施例１】
【００３７】
ここで、図１および図２を参照して、本実施例に係る多層構造のプリント配線基板２０の構成概略を説明する。図１は、多層構造のプリント配線基板２０の構成を示す要部断面図を、図２は、平面図をそれぞれ示している。なお、以下に示す実施例１によりこの発明が限定されるものではない。
【００３８】
本実施例１の特徴は、プリント配線基板２０の製品基板部２１と連結部２３を介して連結する捨て板部２２の上面側と下面側とに、それぞれ材料特性が異なるように選定されたソルダーレジスト３５とソルダーレジスト３６とを塗布することにある。
【００３９】
図１、２に示すように、プリント配線基板２０において、２１は電子部品などを実装する製品基板部、２２は、捨て板部、２３は、ミシン目上に形成された連結部、２４は、スリットであり、製品基板部２１は、連結部２３を介して、捨て板部２２と連結された構成となっている。プリント配線基板２０は、リフロー工程により基板上に電子部品を取り付けた後（熱定着）は、分割加工により所定数（図２の例では、２個）のプリント配線基板２０を製造することができる。
【００４０】
図１に示すように、プリント配線基板２０は、エポキシ樹脂とガラスクロスで補強した絶縁基材として中央部にコア部３１を有し、パッド３２と、複数のパッド３２間に介在するビルドアップ層３３とにより構成されている。また、複数のパッド３２同士をビア部材３４により連結し、これにより、複数の配線パターンを相互に電気的に結合した多層構造のプリント配線基板２０を構成している。
【００４１】
そして、同図に示すように、捨て板部２２（パッド３２の近傍位置）の上面側にはソルダーレジスト３５が、下面側にはソルダーレジスト３６がそれぞれ塗布されている。これらソルダーレジスト３５、３６には、材料特性（線膨張係数、ヤング率、ポアソン比率が異なる材料）がそれぞれ異なるソルダーレジストが選定されている。
【００４２】
この場合、複数のソルダーレジストの材料特性（線膨張係数、ヤング率、ポアソン比率）を記憶したソルダーレジスト材料特性テーブルＴ（図５）により適切なソルダーレジストを選定することとなる。
【００４３】
具体的に説明すると、捨て板部２２の上面側と下面側とに、それぞれ材料特性が異なるように選定されたソルダーレジスト３５とソルダーレジスト３６が塗布されているため、製品基板部２１の反りを打ち消す方向に捨て板部２２が反る方向に湾曲するため、全体として製品基板部２１の反りを抑制し、これにより、プリント配線基板２０全体の反りを抑制して精度の高い電子部品の実装を可能とすることができる。
【００４４】
ここで、本実施例１によるプリント配線基板２０の構成では、ソルダーレジスト３５、３６の材料特性を異なるものとしているが、捨て板部２２の表面部と裏面部とに塗布されるソルダーレジスト３５、３６のうち、一方のソルダーレジストの厚さ寸法を、他方のソルダーレジストの厚さ寸法よりも大きくなるように選定するようにしてもよい。
【００４５】
また、本実施例１によるプリント配線基板２０の構成では、捨て板部２２の両面にソルダーレジストを塗布する構成としているが、このソルダーレジストは、捨て板部２２の表裏両面ではなく、捨て板部２２の表面部と裏面部のうちの少なくても一方の面を、ソルダーレジストが塗布されない非ソルダーレジスト面としてもよい。
【００４６】
（ソルダーレジスト材料特性テーブルＴ）
次に、ソルダーレジスト材料特性テーブルＴの構成について説明する。図５は、ソルダーレジスト材料特性テーブルＴの一例を示す説明図である。
【００４７】
同図に示すように、ソルダーレジスト材料特性テーブルＴは、ソルダーレジストとして使用される材料（ＳＲ−Ａ、ＳＲ−Ｂ、ＳＲ−Ｃ〜）の材料名に対応して、材料の特性（ヤング率、ポアソン比、線膨張係数）を基にして、この材料の特性を解析することにより適したソルダーレジストを選定することができる。なお、ヤング率は、材料の剛性を、ポアソン比は、材料に引っ張りなどの負荷を与えたときの材料の横方向と縦方向のひずみの割合を、線膨張係数は、温度１度上昇時の膨張率をそれぞれ示すものとする。
【００４８】
具体的には、それぞれの材料が有する特性により、ヤング率、ポアソン比、線膨張係数が異なるため、この材料特性が異なる一対のソルダーレジスト３５、３６をそれぞれ選定することとなる。ソルダーレジスト材料特性テーブルＴを参照して説明すると、例えば、ソルダーレジストの材料（ＳＲ−Ａ）は、上方向が反り方向であるため、この材料をソルダーレジスト３５とし、ソルダーレジストの材料（ヤング率が２０００のＳＲ−Ｃ）は、下方向の反り方向であるため、この材料をソルダーレジスト３６と選定した場合、両者の反り方向が相反するため、プリント配線基板２０に対する反りをリフロー工程で互いに相殺するため、この結果、反りを抑制したプリント配線基板２０を製造することができる。
【００４９】
また、図３は、ソルダーレジスト３５、３６の反り方向およびプリント配線基板２０の状態を示す模式図であり、同図に示すように、上側のソルダーレジスト３５よりも線膨張係数が大であるソルダーレジスト３６をそれぞれ塗布する際の状態を示している。同図に示すように、互いに線膨張係数の異なるソルダーレジスト３５、３６の作用により、反りがほとんど存在しないプリント配線基板２０を製造することができる。具体的には、上側のソルダーレジスト３５は、下側のソルダーレジスト３６よりも線膨張係数が大である材料が選定されているため、リフロー工程時の温度上昇時に大きく伸びるため、基板部分の反りを抑制することができる。
【００５０】
一方、図４は、上側に下側よりも線膨張係数の大きいソルダーレジスト３５を塗布する際の状態を示している。図３と同様に、互いに線膨張係数の異なるソルダーレジスト３５、３６の作用により、反りがほとんど存在しないプリント配線基板２０を製造することができる。
【００５１】
以上説明したように、本実施例１に係るプリント配線基板２０は、プリント配線基板２０の製品基板部２１と連結部２３を介して連結する捨て板部２２の上面側および下面側には、それぞれ材料特性が異なるソルダーレジスト３５、３６がそれぞれ塗布されているので、プリント配線基板２０に反りが発生しても、線膨張係数が異なるソルダーレジスト３５、３６の作用により、製品基板部２１の反りを打ち消す方向に捨て板部２２が反ろうとするため、全体として製品基板部２１の反りが打ち消すことができ、これにより、反りを抑制することができる。この結果、電子部品の実装に有害な反りを抑制したプリント配線板を実現することができる。
【実施例２】
【００５２】
次に、本実施例２に係る多層構造のプリント配線基板４０について説明する。図６は、多層構造のプリント配線基板４０の構成を示す要部断面図を、図７は、プリント配線基板４０の平面図をそれぞれ示している。
【００５３】
すなわち、前述した実施例１では、プリント配線基板２０の製品基板部２１と連結部２３を介して連結する捨て板部２２の上面側と下面側に、それぞれ材料特性が異なるように選定されたソルダーレジスト３５とソルダーレジスト３６とを塗布することにより、製品基板部２１の反りを抑制する構成としているが、本実施例２では、導電回路パターンの配設密度に応じて、導電回路パターンが粗い部分にダミーとなるビア（補強部材）を設けることにより、導電回路パターンの配線割合を均一とすることで剛性を高くさせ、反りの抑制を行なうことに特徴がある。
【００５４】
すなわち、プリント配線基板は、回路構成により導電回路パターンが密となった部位とほとんど導電回路パターンが存在しない部位（粗い部分）とがある。具体的に説明すると、大型のＬＳＩなどをプリント配線基板上に搭載する回路構成の場合、このＬＳＩ付近の導電回路パターンは、配線の複雑な部分となりその他は粗い部分となる。
【００５５】
本実施例２では、この点に着目し、製品基板部２１の適切な部位にダミービア４８を設けることにより、導電回路パターンが粗い部分を補強により剛性を高くさせ、反りの防止を行なうこととしている。以下、図６および図７を参照してプリント配線基板４０の構成を説明する。
【００５６】
すなわち、図６に示すように、プリント配線基板４０は、エポキシ樹脂とガラスクロスで補強した絶縁基材４１の所定位置の表裏両面に導電パターン４５が設けられ、内部には、内部導電パターン４６が設けられ、これら導電パターン４５と内部導電パターン４６とをビア部材４７により連結し、これにより、電気的に結合した多層構造のプリント配線基板４０を構成している。また、導電パターン４５の近傍位置にはソルダーレジスト４９を塗布している。
【００５７】
また、同図に示すように、導電回路パターンが粗くなった部位をＬ領域とし、導電回路パターンが密となった部位をＭ領域とした場合、Ｌ領域に位置するビア部材４７の近傍にダミービア４８を設けている。すなわち、これにより、導電回路パターンが粗くなった部位を物理的に補強することができ、これにより、導電回路パターンの配線割合を均一とすることで剛性を高くさせ、電子部品の実装に有害な基板の反りの防止を行なうことができる。
【００５８】
ここで、図６に示すように本実施例２ではＬ領域に位置するビア部材４７の近傍にダミービア４８を設けているが、実際にダミービア４８を埋設する場合、導電回路パターンの配線密度や搭載する電子部品の位置を予測し、この予測したデータに基づいてダミービア４８の埋設位置と個数を考慮したプリント配線基板の設計を行なうこととしている。
【００５９】
また、図７は、製品基板部２１の周囲にダミービア４８を配設した一例を示しており、このように、製品基板部２１の周囲に複数個のダミービア４８を等間隔に配設した場合には、製品基板部２１個々の反りを効果的に抑制することができる。
【００６０】
なお、上述した実施例２によるプリント配線基板４０び構成の場合、特にダミービア４８自体の材料特性は考慮していないが、導電回路パターンの配設密度や搭載する電子部品の大きさに応じて、ダミービア４８の材料特性を適宜、補強に適した材料に選定するようにしてもよい。
【００６１】
以上説明したように、本実施例２に係るプリント配線基板４０は、導電回路パターンが配設密度が少ない部分には、予め導電回路パターンが少ない部分の剛性を補強するダミービア４８を埋設する構成としているので、電子部品の実装に有害な反りを抑制したしたプリント配線基板を実現することができる。
【００６２】
ここで、以上、実施例１、２に係るプリント配線基板２０、４０の構成について説明したが、実際にプリント配線基板を製造する場合、前述したように使用するソルダーレジストは、ソルダーレジスト材料特性テーブルＴ（図５）を参照することで適切な材料を選定するとともに、予測されるソルダーレジストの反り量と許容反りの差から改善すべき反り量を基板全体あるいは個別の部品搭載エリアごとに解析し、それぞれについて基板の反りを改善するためのダミービア４８（図６）の配置、さらに、ダミービア４８の配置だけでは反り抑制ができない場合には、ダミービア４８の材料特性の推奨値を解析し、適切なダミービア４８の材料を選定することによりプリント配線基板の設計を行なう。具体的には、ダミービア４８の配置可能な位置座標値を記憶するデータベースを作成し、基板の反り許容値を参照するデータベースや基板の反り方向を判定する反り方向判定装置などを使用して、ソルダーレジストの材料やダミービア４８の配置エリアなどを詳細に解析することとなる。
【００６３】
（付記１）複数の導電回路パターンが形成されるとともに、複数の電子部品が搭載される多層構造のプリント配線基板であって、前記プリント配線基板は、前記複数の電子部品が搭載される製品基板部と連結部とを介して連結される捨て板部と、前記複数の導電回路パターンを相互に電気的接続する導体部材とを有するとともに、前記捨て板部の表面部と裏面部とには、それぞれ材料特性が異なるソルダーレジストが塗布されることを特徴とする多層構造のプリント配線基板。
【００６４】
（付記２）前記捨て板部の表面部と裏面部とに塗布されるソルダーレジストは、当該ソルダーレジストが有する材料特性に基づいて、互いに線膨張係数が異なる材料が選定されることを特徴とする付記１に記載の多層構造のプリント配線基板。
【００６５】
（付記３）前記捨て板部の表面部と裏面部とに塗布されるソルダーレジストと、前記製品基板部に塗布されるソルダーレジストの材料特性とは、それぞれ材料特性が異なる材料が選定されることを特徴とする付記１または２に記載の多層構造のプリント配線基板。
【００６６】
（付記４）前記捨て板部の表面部と裏面部とには、それぞれ線膨張係数が異なるソルダーレジストが塗布されることを特徴とする付記１、２または３に記載の多層構造のプリント配線基板。
【００６７】
（付記５）前記捨て板部の表面部と裏面部とには、それぞれヤング率が異なるソルダーレジストが塗布されることを特徴とする付記１〜４の何れか一つに記載の多層構造のプリント配線基板。
【００６８】
（付記６）前記捨て板部の表面部と裏面部とに塗布される一方のソルダーレジストの厚さ寸法と、他方のソルダーレジストの厚さ寸法とは、それぞれ寸法が異なる材料が選定されることを特徴とする付記１〜５の何れか一つに記載の多層構造のプリント配線基板。
【００６９】
（付記７）前記捨て板部の表面部と裏面部のうちの少なくても一方の面には、ソルダーレジストが塗布されない非ソルダーレジスト面であることを特徴とする付記１〜６の何れか一つに記載の多層構造のプリント配線基板。
【００７０】
（付記８）複数の導電回路パターンが形成されるとともに、複数の電子部品が搭載される多層構造のプリント配線基板であって、前記プリント配線基板は、前記複数の電子部品が搭載される製品基板部と連結部とを介して連結される捨て板部と、前記複数の導電回路パターンを相互に電気的接続する導体部材とを有するとともに、前記導電回路パターンが少ない部分には、当該少ない部分を補強する補強部材が埋設されることを特徴とする多層構造のプリント配線基板。
【００７１】
（付記９）前記補強部材は、前記複数の製品基板部内に搭載される電子部品の外周形状に沿って配置されることを特徴とする付記８に記載の多層構造のプリント配線基板。
【００７２】
（付記１０）前記捨て板部の表面部と裏面部とに塗布されるソルダーレジストは、当該ソルダーレジストが有する材料特性に基づいて、互いに線膨張係数が異なる材料が選定されることを特徴とする付記８または９に記載の多層構造のプリント配線基板。
【００７３】
（付記１１）前記捨て板部の表面部と裏面部のうちの少なくても一方の面には、ソルダーレジストが塗布されない非ソルダーレジスト面であることを特徴とする付記８、９または１０に記載の多層構造のプリント配線基板。
【００７４】
（付記１２）複数の導電回路パターンが形成されるとともに、複数の電子部品が搭載される多層構造のプリント配線基板の製造方法であって、前記複数の電子部品が搭載される製品基板部に複数の導電回路パターンを相互に電気的接続する導体部材を配設する導体部材配設工程と、前記製品基板部と連結部とを介して連結される捨て板部の表面部と裏面部に対して、それぞれ材料特性が異なるソルダーレジストを塗布するソルダーレジスト塗布工程とを含むことを特徴とする多層構造のプリント配線基板の製造方法。
【産業上の利用可能性】
【００７５】
以上のように、本発明に係る多層構造のプリント配線基板は、多層構造のプリント配線基板に有用であり、特に、電子部品の実装に有害な反りを抑制した多層構造のプリント配線基板に適している。
【図面の簡単な説明】
【００７６】
【図１】実施例１に係る多層構造のプリント配線基板の全体構成を示す要部断面図である。
【図２】多層構造のプリント配線基板の全体構成を示す平面図である。
【図３】ソルダーレジストの反り状態を示す模式図である。
【図４】ソルダーレジストの反り状態を示す模式図である。
【図５】ソルダーレジストの材料特性を示す材料特性テーブルである。
【図６】実施例２に係る多層構造のプリント配線基板の全体構成を示す要部断面図である。
【図７】実施例２に係る多層構造のプリント配線基板の全体構成を示す平面図である。
【図８】従来のプリント配線基板の全体構成を示す平面図である。
【図９】従来のプリント配線基板の全体構成を示す要部断面図である。
【図１０】従来のソルダーレジストの反り状態を示す模式図である。
【符号の説明】
【００７７】
１０、２０、４０  プリント配線基板
１０ａ、４１  絶縁基材
１１、２１  製品基板部
１２、２２  捨て板部
１３、２３  連結部
１４、２４  スリット部
１５、４５  導電パターン
１６、４６  内部導電パターン
１７、３４、４７  ビア部材
１８、３５、３６、４９  ソルダーレジスト
３１  コア部
３２  パッド
３３  ビルドアップ層
４８  ダミービア
【図１】
0004764731.tif 000002
【図２】
0004764731.tif 000003
【図３】
0004764731.tif 000004
【図４】
0004764731.tif 000005
【図５】
0004764731.tif 000006
【図６】
0004764731.tif 000007
【図７】
0004764731.tif 000008
【図８】
0004764731.tif 000009
【図９】
0004764731.tif 000010
【図１０】
0004764731.tif 000011